(57)【要約】【課題】正当な製品は完全に再生することができると共に、複製品では、完全な状態で再生することを防止する音楽データ再生方法およびシステムを提供する。【解決手段】正当なＣＤを取得した利用者は、専用再生機１によりＣＤを再生する。専用再生機１は、ＣＤ５の音楽非記録領域に副データ取得用情報が存在する場合に、副データ取得用情報に従って、ネットワーク４を介して蓄積サーバ２にアクセスし、副データのＩＤを送信して副データを要求する。蓄積サーバ２では、受け取った副データのＩＤで副データベースを検索し、専用再生機１に送信する。専用再生機１では、受信した副データと、ＣＤ５から読み取った主データを合成して完全な音楽データとして再生する。【選択図】  図３
2004280993.tif 000002
【特許請求の範囲】
【請求項１】
記憶媒体からデータを読み取って音楽として再生すると共にネットワークに接続可能な専用再生機と、ネットワークを介してアクセスしてきた端末に対して蓄積しているデータの提供を行う蓄積サーバと、を利用して音楽データを再生する方法であって、
通常の音楽再生機により読み取り不能な部分に副データ取得用情報を記録すると共に通常の音楽再生機により読み取り可能な部分に主データを記憶したＣＤから、前記専用再生機が、前記副データ取得用情報を読み取って、当該副データ取得用情報を利用して前記蓄積サーバにアクセスする段階と、
前記蓄積サーバが、当該副データ取得用情報に対応する副データを副データベースから抽出して、前記アクセスしてきた専用再生機に送信する段階と、
前記専用再生機が、送信された副データと、前記ＣＤから読み取った主データを合成して完全な音楽として再生する段階と、を有することを特徴とする音楽データ再生方法。
【請求項２】
音楽用記録媒体を再生する音楽再生機と、完全な音楽データの一部である副データを蓄積したサーバコンピュータである蓄積サーバが、ネットワークで接続された音楽データ再生システムであって、
前記音楽再生機は、記録媒体上の通常の音楽再生機により読み取り不能な部分から副データ取得用情報を読み取る副データ取得用情報読取手段と、前記読み取った副データ取得用情報を利用して前記蓄積サーバにアクセスする通信制御手段と、前記蓄積サーバから送信されてきた副データと前記記憶媒体上の通常の音楽再生機により読取可能な部分に記憶された主データとを合成して再生するデータ合成手段と、を有し、
前記蓄積サーバは、前記副データを蓄積した副データベースを管理すると共に、前記音楽再生機からのアクセスに基づいて、前記副データベースから該当する副データを抽出する副データ抽出手段と、当該抽出した副データを、前記アクセスしてきた音楽再生機に送信する副データ送信手段と、を有することを特徴とする音楽データ再生システム。
【請求項３】
前記主データは中低周波成分であり、前記副データは高周波成分であることを特徴とする請求項２に記載の音楽データ再生システム。
【請求項４】
完全な音楽データの一部である副データを蓄積したサーバコンピュータである蓄積サーバと、ネットワークを介して接続された音楽再生機であって、
前記音楽再生機は、記録媒体上の通常の音楽再生機により読み取り不能な部分から副データ取得用情報を読み取る副データ取得用情報読取手段と、前記読み取った副データ取得用情報を利用して前記蓄積サーバにアクセスする通信制御手段と、前記蓄積サーバから送信されてきた副データと前記記憶媒体上の通常の音楽再生機により読取可能な部分に記憶された主データとを合成して再生するデータ合成手段を有することを特徴とする音楽再生機。
【請求項５】
音楽再生用記録媒体の音楽記録領域に、完全な音楽の中低周波数成分を記録すると共に、音楽非記録領域に、完全な音楽の高周波成分を記録したコンピュータへのアクセス用アドレスを記録した音楽再生用記録媒体。
【発明の詳細な説明】
【０００１】
【産業上の利用分野】
本発明は、高音質の音楽データを複製されることを防ぐと共に、正当な取得者は高音質の音楽データを簡易に再生するための技術に関する。
【０００２】
【従来の技術】
近年、デジタル技術の進歩により、データの複製が非常に簡単に行えるようになってきている。ＣＤ等に記録されている音楽データについても、ＣＤ−Ｒなどの複製機器を利用することで、高音質の音楽データを劣化させることなく複製することが可能である。
【０００３】
【発明が解決しようとする課題】
ＣＤ等に記録された音楽データの複製の手順はいたって簡単であり、またＣＤの複製機器が低価格化したことで、正当な著作権料を支払うことなく著作物を不正利用する生活者が増えてきた。このような不正利用を防ぐために記録媒体自体に複製防止技術を加えると、再生機器で正常に再生できない等の問題が起こり、正当な著作権料を支払っても利用できない場合がある。また、その一方で複製防止手段によって複製できる機器に対する制限が加わることは、消費者の利便性を損なう面も有しており、両者が納得できる解決策が望まれていた。
【０００４】
上記のような点に鑑み、本発明は、正当な製品は完全に再生することができると共に、複製品では、完全な状態での再生を防止し、劣化した状態で再生することが可能となる音楽データ再生方法およびシステムを提供することを課題とする。
【０００５】
【課題を解決するための手段】
上記課題を解決するため、本発明では、記憶媒体からデータを読み取って音楽として再生すると共に、ネットワークに接続可能な専用再生機と、ネットワークを介してアクセスしてきた端末に対して蓄積しているデータの提供を行う蓄積サーバを利用して音楽データを再生する方法として、通常の音楽再生機により読み取り不能な部分に副データ取得情報を記録すると共に通常の音楽再生機により読み取り可能な部分に主データを記憶したＣＤから、専用再生機が、前記副データ取得用情報を読み取って、当該副データ取得用情報を利用して蓄積サーバにアクセスする段階、前記蓄積サーバが、当該副データ取得用情報に対応する副データを副データベースから抽出して、前記アクセスしてきた専用再生機に送信する段階、前記専用再生機が、送信された副データと、前記ＣＤから読み取った主データを合成して完全な音楽として再生する段階を実行するようにしたことを特徴とする。
【０００６】
本発明によれば、完全な音楽データを主データと副データに分離しておき、音楽用記録媒体の音楽記録領域に主データを記録しておくと共に、ネットワークでアクセス可能なコンピュータに副データを記録しておき、この副データを取得するための取得用情報を音楽用記録媒体の音楽非記録領域に記録しておいた状態で、このような音楽用記録媒体の音楽非記録領域から副データ取得用情報を抽出して、ネットワーク上のコンピュータから副データを取得して、主データと合成して完全な音楽として再生するようにしたので、通常の違法複製により得られた音楽非記録領域に副データが記録されていない記録媒体による完全な音楽の再生を防止することができる。これにより、正当な音楽用記録媒体の取得者のみが完全な音楽を再生することが可能となる。
【０００７】
【発明の実施の形態】
以下、本発明の好適な実施形態について、図面を参照して詳細に説明する。
（音楽データの分離）
最初に、記録媒体に音楽の主成分として記録する主データと、蓄積サーバ側に記録する副データへの音楽データの分離を行う。図１は、元の音楽データを主データと副データに分離するための音楽データ分離装置の構成を示す機能ブロック図である。図１の例では、主データの記録形式としてＣＤ−Ａｕｄｉｏ、副データの記録形式としてＭＰ３を採用した場合について示している。図１において、１０はＣＤ−Ａｕｄｉｏ用（中低周波成分）変換部、２０はＭＰ−３用（高周波成分）変換部、３０は共通処理部である。ＣＤ−Ａｕｄｉｏ用変換部１０は、中低周波数成分逆変換部１１、ＭＰＸ処理部１２、ＣＩＲＣ符号化部１３、ＥＦＭ変調部１４により構成されている。ＭＰ−３用変換部２０は、心理聴覚分析部２１、ＭＤＣＴ変換部２２、バタフライ処理部２３、非線形量子化部２４、ハフマン符号化部２５、スケールファクタ処理部２６、サイド情報符号化部２７、ビットストリーム形成ＣＲＣチェック付加部２８により構成されている。共通処理部３０は、マイク３１、ＬＰＦ３２、サンプリング部３３、ＦＢ分離部３４により構成されている。
【０００８】
図１に示した音楽データ分離装置において、左右のマイク３１、３１から音声が入力されると、ＬＰＦ３２、３２は、サンプリング周波数以上の高周波数成分をカットする。次に、サンプリング部３３、３３が所定のサンプリング周波数でサンプリングを行い、１６ビット量子化を行う。サンプリング周波数としては、ＭＰ−３では３２ｋＨｚ、４４．１ｋＨｚ、４８ｋＨｚを利用できるが、ＣＤ−Ａｕｄｉｏとの分離・合成を行うために４４．１ｋＨｚで行う。次に、ＦＢ分離部３４、３４が、周波数帯域を所定数のフィルタバンクに分割した後、高周波帯域と中低周波帯域に属する周波数成分を分離する。どの周波数帯において分離するかについては、心理聴覚分析部２１による分析の結果を用いて行われる。分離された音楽データのうち、中低周波帯域のデータは、ＣＤ−Ａｕｄｉｏ用変換部１０により主データとして、所定のフォーマットに変換されてＣＤの音楽記録領域に記録され、高周波帯域のデータは、ＭＰ−３用変換部２０により副データとして、所定のフォーマットに変換されて副データベースにそれぞれ記録される。具体的には、ＣＤ−Ａｕｄｉｏ用変換部１０に入力された中低周波帯域のデータは、ＭＰＸ処理部１２、ＣＩＲＣ符号化部１３、ＥＦＭ変調部１４によりそれぞれ処理されて主データとしてＣＤに記録される。この際、さらに、副データベースを管理する蓄積サーバのアドレスおよび副データを特定するＩＤをＣＤの音楽非記録領域に記録する。一方、ＭＰ−３用変換部２０に入力された高周波帯域のデータは、ＭＤＣＴ変換部２２、バタフライ処理部２３、非線形量子化部２４、ハフマン符号化部、スケールファクタ処理部２６、サイド情報符号化部２７、ビットストリーム形成ＣＲＣチェック付加部２８を経由して副データを作成する。副データは、インターネット等のネットワーク上でアクセス可能なサーバコンピュータが管理するデータベースに記録する。
【０００９】
（音楽用記録媒体の構成）
次に、本発明で利用する音楽用記録媒体について説明する。本実施形態では、記録媒体としてＣＤを採用している。図２は、このようなＣＤを正面から見た状態を示す図である。ＣＤには、通常の音楽データ記録領域と、データの記録は可能であるが通常の音楽再生機ではデータを読まない、音楽データ非記録領域が設けられている。音楽データ非記録領域は、リードイン領域のさらに内側に設けてある。本実施形態においては、この音楽データ非記録領域に副データ取得のための副データ取得用情報を記録しておく。このようなＣＤは、副データが記録されたコンピュータが、そのサービスの提供が可能となった時点で、販売等の手法で流通させる。
【００１０】
（システム構成）
購入等の手法で、ＣＤを取得した利用者は、ＣＤを再生して音楽を聴くことになる。上記ＣＤを再生するためのシステムについて説明する。図３は、本発明に係る音楽データ再生システムの一実施形態を示す構成図である。図３において、１は専用再生機、２は蓄積サーバ、３は副データベース、４はネットワーク回線、５はＣＤである。
【００１１】
専用再生機１は、本発明において用いられるＣＤ、すなわち音楽記録領域には主データを記録し、音楽非記録領域に副データ取得用情報を記録したＣＤの専用再生機であり、ＣＤに副データ取得用情報が存在する場合に特殊な処理を行う機能を有している。また、ＣＤドライブを備えた汎用のパーソナルコンピュータに音楽再生用の専用のソフトウェアを搭載することによっても実現できる。
【００１２】
蓄積サーバ２は、専用再生機１からアクセスがあった場合に、副データを配信する機能を有するサーバコンピュータである。蓄積サーバ２は、専用再生機１を含む不特定多数の端末からアクセスを可能とし、副データの配信を可能とするためにＷＷＷ（Ｗｏｒｌｄ  Ｗｉｄｅ  Ｗｅｂ）サーバ機能もしくはＦＴＰサーバ機能も備えている。
【００１３】
副データベース３は、副データを記録したデータベースであり、蓄積サーバ２により管理されたハードディスク等の外部記憶装置で実現される。ネットワーク回線４は、副データの送信が可能な通信回線であり、物理的には有線・無線を問わない。また、通信プロトコルについては、ＴＣＰ／ＩＰを利用することが好ましいが、特に限定されない。
【００１４】
（処理の流れ）
次に、本発明に係る音楽データ再生方法を、図３に示した音楽データ再生システムの処理動作と共に説明する。図４は、本発明に係る音楽データ再生方法の概要を示すフローチャートである。まず、専用再生機１において、ＣＤ５を再生させる。すると、専用再生機１は、ＣＤ５の音楽データ非記録領域を読み取りに行く（ステップＳ１）。音楽データ非記録領域に、副データ取得用情報が存在した場合は、専用再生機１は、副データ取得用情報内のアクセス先アドレスに対して、副データ取得用情報内のＩＤを送信する（ステップＳ２）。ここで、副データ取得用情報の一例を図５に示す。図５に示すように本実施形態では、副データ取得用情報は、蓄積サーバアドレスと、副データ識別ＩＤの２つの情報からなっている。アクセス先アドレスは、蓄積サーバ２のアドレスとなっており、ＩＤは蓄積サーバ２に送信されることになる。なお、アクセス先アドレスとしては、ＩＰアドレスであっても良いし、ＵＲＬであっても良い。
【００１５】
蓄積サーバ２は、ＩＤを受け取ると、そのＩＤで副データベース３を検索し、対応する副データを抽出した後、アクセスしてきた専用再生機１に送信する（ステップＳ３）。
【００１６】
専用再生機１では、送信されてきた副データと、ＣＤの音楽データ記録領域に記録された主データを合成して、完全な音楽データとして再生する（ステップＳ４）。一方、通常のＣＤを専用再生機１で再生した場合は、音楽データ非記録領域に副データ取得用情報が存在しないため、専用再生機１は、音楽データ記録領域に記録された主データをそのまま音声として再生する（ステップＳ５）。
【００１７】
続いて、専用再生機１における主データと副データの合成処理を詳細に説明する。図６は専用再生機１内の合成処理に関する部分の詳細な構成を示す機能ブロック図である。図６において、４０はＣＤ−Ａｕｄｉｏ用（中低周波成分）復号部、５０はＭＰ−３用（高周波成分）復号部、６０は合成処理部である。ＣＤ−Ａｕｄｉｏ用復号部４０は、ＥＦＭ逆変調部４１、ＣＩＲＣ復号部４２、チャネル分離部４３により構成されている。ＭＰ−３用復号部５０は、ビットストリーム分解ＣＲＣ誤り訂正部５１、ハフマン復号部５２、スケールファクタ復号部５３、逆量子化部５４、バタフライ処理部５５、逆ＭＤＣＴ変換部５６、サブバンド合成部５７により構成されている。合成処理部６０は、Ｌチャネル合成部６１ａ、Ｒチャネル合成部６１ｂ、Ｄ／Ａ変換アンプ６２で構成される。
【００１８】
ここで、図６に示した構成による処理について説明する。これは、上記ステップＳ４の処理に相当する。まず、専用再生機１がＣＤ５の音楽データ記録部から読み取った主データは、ＣＤ−Ａｕｄｉｏ用復号部４０により復号される。具体的には、ＥＦＭ逆変調部４１、ＣＩＲＣ復号部４２、チャネル分離部４２により順次処理され、合成処理部６０の出力される。一方、蓄積サーバ２から送信されてきた副データは、ＭＰ−３用復号部５０により復号される。具体的には、ビットストリーム分解ＣＲＣ誤り訂正部５１、ハフマン復号部５２、スケールファクタ復号部５３、逆量子化部５４、バタフライ処理部５５、逆ＭＤＣＴ変換部５６、サブバンド合成部５７より順次処理され、合成処理部６０に出力される。合成処理部６０では、Ｌチャネル合成部６１ａによりＬチャネルの高周波成分と中低周波数成分が合成されると共に、Ｒチャネル合成部６１ｂによりＲチャネルの高周波成分と中低周波数成分が合成され、それぞれ、Ｄ／Ａ変換アンプ６２により変換されてスピーカより完全な音声として出力される。
【００１９】
本発明によるＣＤを用いると、本発明による専用再生機以外であっても、通常の音楽記録領域に記録された音楽データを読み取って再生することができるので、正当なＣＤの取得者は、専用の再生機器でなくても不完全ではあるが音楽を聴くことができる。一方、正当なＣＤの複製を行った場合、音楽記録領域については複製されるが、音楽非記録領域については、複製されないので、複製品を専用再生機で再生しても、完全な音楽は再生されないことになる。
【００２０】
以上、本発明の好適な実施形態について説明したが、本発明は上記実施形態に限定されず、種々の変形が可能である。例えば、上記実施形態では、音楽データ記録用の記録媒体としてＣＤを用いたが、ＤＶＤ等他の記録媒体であっても良い。また、上記実施形態では、音楽データをＣＤ−ＡｕｄｉｏとＭＰ３に分離するようにしたが、他の方式を用いても良い。
【００２１】
【発明の効果】
以上、説明したように本発明によれば、通常の音楽再生機により読み取り不能な部分に副データ取得情報を記録すると共に通常の音楽再生機により読み取り可能な部分に主データを記憶したＣＤから、専用再生機が、副データ取得用情報を読み取り、読み取った副データ取得用情報を利用して蓄積サーバにアクセスし、蓄積サーバが、副データ取得用情報に対応する副データを副データベースから抽出して、アクセスしてきた専用再生機に送信し、専用再生機が、送信された副データと、前記ＣＤから読み取った主データを合成して完全な音楽として再生するようにしたので、正当な製品は完全に再生することができると共に、複製品では、完全な状態での再生を防止し、劣化した状態で再生することが可能となるという効果を奏する。このため、不正に複製されたデータが流通したとしても、その音楽に価値を見出した消費者が、別途正当な製品を購入する意欲を妨げず、また、劣化した状態であれば、消費者が私的利用の範囲で不便益を受けず自由に複製を行うことができる。
【図面の簡単な説明】
【図１】完全な音楽データを主データと副データに分離するための音楽データ分離装置の構成を示す機能ブロック図である。
【図２】本発明で用いる音楽用記録媒体を示す図である。
【図３】本発明に係る音楽データ再生システムの一実施形態を示す構成図である。
【図４】本発明に係る音楽データ再生方法の概要を示すフローチャートである。
【図５】副データ取得用情報の一例を示す図である。
【図６】専用再生機１内の合成処理に関する部分の詳細な構成を示す機能ブロック図である。
【符号の説明】
１・・・専用再生機
２・・・蓄積サーバ
３・・・副データベース
４・・・ネットワーク回線
５・・・ＣＤ
１０・・・ＣＤ−Ａｕｄｉｏ用変換部（主データ用変換部）
２０・・・ＭＰ−３用変換部（副データ用変換部）
３０・・・共通処理部
４０・・・ＣＤ−Ａｕｄｉｏ用復号部（主データ用復号部）
５０・・・ＭＰ−３用復号部（副データ用復号部）
６０・・・合成処理部
【図１】
2004280993.tif 000003
【図２】
2004280993.tif 000004
【図３】
2004280993.tif 000005
【図４】
2004280993.tif 000006
【図５】
2004280993.tif 000007
【図６】
2004280993.tif 000008